(57)【要約】【課題】装着者の動作の妨げになり難い、小型の救命具を提供する。【解決手段】救命具１００は、内部に気体が供給されることによって、収縮状態から膨張状態に変化する浮袋体１と、収縮状態の浮袋体１を覆うカバー２と、装着者Ｐに装着される装着体としての接続体３及び腰部ベルト４と、接続体３及び腰部ベルト４に連結されたガイド体５と、浮袋体１に連結されていると共に、ガイド体５に沿ってスライドするスライド体６と、を備えている。【選択図】図２
2019123279.tif 000002
【特許請求の範囲】
【請求項１】
内部に気体が供給されることによって、収縮状態から膨張状態に変化する浮袋体と、
前記収縮状態の前記浮袋体を覆うカバーと、
装着者に装着される装着体と、
前記装着体に連結されたガイド体と、
前記浮袋体に連結されていると共に、前記ガイド体に沿ってスライドするスライド体と、を備えた、救命具。
【請求項２】
前記浮袋体と前記ガイド体とを連結する連結部材を更に備え、
前記スライド体は、前記膨張状態の前記浮袋体における、前記連結部材から離間した位置に連結されている、請求項１に記載の救命具。
【請求項３】
前記連結部材は、前記装着者の背側に配置されている、請求項２に記載の救命具。
【請求項４】
前記スライド体は、前記浮袋体が前記収縮状態から前記膨張状態に変化する場合に、前記連結部材から離れる方向に、前記ガイド体に沿ってスライドする、請求項３に記載の救命具。
【請求項５】
前記ガイド体に沿って、前記ガイド体と前記装着者との間に配置されたスライド補助部材を更に備え、
前記スライド体は、前記ガイド体に案内されて前記ガイド体と前記スライド補助部材との間をスライドする、請求項１から４のいずれか一項に記載の救命具。
【請求項６】
前記ガイド体が、前記装着体における前記装着者に対向する側とは反対側に沿って配置されている、請求項１から５のいずれか一項に記載の救命具。
【請求項７】
前記浮袋体は、前記膨張状態において、前記装着者の一方の腕側に配置される第１浮袋部と、前記装着者の他方の腕側に配置される第２浮袋部と、を有し、
前記スライド体は、前記第１浮袋部に連結された第１スライド部と、前記第２浮袋部に連結された第２スライド部と、を有する、請求項１から６のいずれか一項に記載の救命具。
【請求項８】
前記収縮状態において、前記浮袋体は折り畳まれた状態で前記カバーに収納されると共に、前記スライド体が前記カバーの外側に配置されている、請求項１から７のいずれか一項に記載の救命具。
【請求項９】
前記ガイド体は、前記装着者の体の表面に沿って配置されている、請求項１から８のいずれか一項に記載の救命具。
【発明の詳細な説明】
【技術分野】
【０００１】
内部に気体が供給されることによって、収縮状態から膨張状態に変化する浮袋体と、前記収縮状態の前記浮袋体を覆うカバーと、装着者に装着される装着体と、を備えた救命具に関する。
【背景技術】
【０００２】
下記の特許文献１には、内部に気体が供給されることによって、収縮状態から膨張状態に変化する浮袋体（浮き袋２）と、収縮状態の浮袋体（浮き袋２）を覆うカバー（カバー１）と、装着者（装着者４）に装着される装着体（ベルト５）と、を備えた救命具が開示されている。なお、括弧内に示す部材名および符号は、特許文献１のものである。
【０００３】
特許文献１の救命具は、装着者の動作の妨げになり難いように、収縮状態の浮袋体（浮き袋２）をカバー（カバー１）に収納する構成として小型化を図っている。しかし、特許文献１の救命具では、膨張状態で理想的な位置となるように装着体（ベルト５）に取り付けられた浮袋体（浮き袋２）の位置に合わせて、比較的広い範囲にカバー（カバー１）を設ける必要があった。この点で、特許文献１の救命具は、充分に小型化されているとはいえず、改善の余地があった。
【先行技術文献】
【特許文献】
【０００４】
【特許文献１】特開２００４−９８９３６号公報
【発明の概要】
【発明が解決しようとする課題】
【０００５】
そこで、装着者の動作の妨げになり難い、小型の救命具の実現が望まれる。
【課題を解決するための手段】
【０００６】
上記に鑑みた、救命具の特徴構成は、
内部に気体が供給されることによって、収縮状態から膨張状態に変化する浮袋体と、
前記収縮状態の前記浮袋体を覆うカバーと、
装着者に装着される装着体と、
前記装着体に連結されたガイド体と、
前記浮袋体に連結されていると共に、前記ガイド体に沿ってスライドするスライド体と、を備えている点にある。
【０００７】
上記の特徴構成によれば、浮袋体を収縮状態と膨張状態との間で変化させる際に、スライド体をガイド体に沿ってスライドさせることにより、浮袋体におけるスライド体に連結された部分をガイド体に沿って移動させることができる。そのため、収縮状態においては、浮袋体を小さく折り畳むのに適した位置にスライド体をスライドさせることにより、浮袋体を小さく折り畳んでカバーに収納することができる。また、浮袋体が膨張状態に変化する際に、膨張状態での浮袋体の形状に応じた位置にスライド体がスライドすることにより、浮袋体におけるスライド体に連結された部分が、装着体に連結されたガイド体に沿って移動する。これにより、膨張状態の浮袋体が装着者に適切に装着された状態となる。したがって、収縮状態の浮袋体及び当該浮袋体を覆うカバーのサイズを小さく抑えることができ、延いては装着者の動作の妨げになり難い、小型の救命具を実現できる。
【図面の簡単な説明】
【０００８】
【図１】第１の実施形態に係る救命具が装着者に装着された様子を示す図
【図２】第１の実施形態に係る救命具の浮袋体が膨張状態となった様子を示す図
【図３】第１の実施形態に係る救命具の浮袋体が膨張状態となった様子を示す図
【図４】第１の実施形態に係る救命具のスライド体がガイド体に沿ってスライドする様子を示す図
【図５】第２の実施形態に係る救命具の正面図
【図６】第２の実施形態に係る救命具が装着者に装着された様子を示す平面図
【図７】第２の実施形態に係る救命具の浮袋体が膨張状態となった様子を示す平面図
【発明を実施するための形態】
【０００９】
１．第１の実施形態
以下では、第１の実施形態に係る救命具１００について、図面を参照して説明する。図１に示すように、第１の実施形態に係る救命具１００は、装着者Ｐの首に掛けると共に、装着者Ｐの腰回りに装着するように構成されている。第１の実施形態に係る救命具１００は、浮袋体１と、カバー２と、接続体３と、腰部ベルト４と、ガイド体５と、スライド体６と、を備えている。
【００１０】
浮袋体１は、密閉された袋体であり、内部に気体が供給されることによって、収縮状態から膨張状態に変化する。図１に示すように、浮袋体１は、収縮状態では折り畳まれてカバー２に収納される。また、図２に示すように、浮袋体１は、膨張状態ではカバー２から飛び出して外部に露出する。本実施形態では、膨張状態の浮袋体１は、装着者Ｐの首の後側から両胸の前側にかけて延在している。そのため、浮袋体１は、膨張状態において、装着者Ｐの一方の腕側（図示の例では、右腕側）に配置される第１浮袋部１１と、装着者Ｐの他方の腕側（図示の例では、左腕側）に配置される第２浮袋部１２と、を有している。第１浮袋部１１と第２浮袋部１２とは、装着者Ｐの首側において互いに連続し、装着者Ｐの胸側において互いに離間している。つまり、浮袋体１は、膨張状態において、Ｃ字形状を成しており、第１浮袋部１１と第２浮袋部１２とで装着者Ｐを囲むように配置されている。
【００１１】
図２に示すように、浮袋体１には、浮袋体１の内部に気体を供給して浮袋体１を膨張させるための気体充填装置７が設けられている。気体充填装置７としては、公知の各種の構成のものを使用することができる。本実施形態では、気体充填装置７は、炭酸ガス等の圧縮気体を納めたボンベ７ａと、浮袋体１の内部に連通する連通孔を有し、作動時にボンベ７ａ内の気体を浮袋体１に供給する供給装置と、着水を検知して自動的に前記供給装置を作動させる自動作動装置と、操作部７ｂの操作を受けて前記供給装置を作動させる手動作動装置と、を有している。なお、気体充填装置７の配置は、特に限定されないが、ここでは、装着者Ｐの動作の邪魔になり難い位置として、浮袋体１が膨張状態のとき、第１浮袋部１１における、装着者Ｐに対向する側とは反対側となる面に気体充填装置７を配置している。また、気体充填装置７として、前記自動作動装置を備えず、操作部７ｂの手動操作のみによって浮袋体２を膨張させる手動式の気体充填装置を採用しても良い。
【００１２】
また、浮袋体１には、充填量調節管８が設けられている。本実施形態では、充填量調節管８は、浮袋体１の内部に連通する管８ａと、管８ａの先端開口部を覆うように嵌め込み可能なキャップ８ｂと、管８ａの先端開口部付近の内部に設けられ、浮袋体１の内部へ流れる気体のみを通過させる逆止弁（図示せず）と、を有している。装着者Ｐは、浮袋体１の膨張の程度が足りない場合には、充填量調節管８から息を吹き込み、浮袋体１の膨張の程度が過ぎる場合には、前記逆止弁を開放する操作をして浮袋体１内の気体を放出する。これにより、装着者Ｐは、浮袋体１の膨張の程度を調節できる。なお、充填量調節管８の配置は、装着者Ｐが息を吹き込む作業を行い易い配置であれば良い。ここでは、浮袋体１が膨張状態のとき、第２浮袋部１２における、装着者Ｐに対向する側とは反対側となる面に充填量調節管８を配置している。
【００１３】
図１に示すように、カバー２は、収縮状態の浮袋体１を収納可能に構成されている。図３に示すように、本実施形態では、カバー２は、装着者Ｐの首の後側から両胸の前側にかけて延在する帯状に形成されており、装着者Ｐに装着される「装着体」としても機能する。以下では、説明の便宜上、カバー２において、浮袋体１が膨張状態のとき、装着者Ｐに対向する面を「装着面」と記し、装着者Ｐに対向する側とは反対側となる面を「非装着面」と記す。なお、接続体３及び腰部ベルト４においても同様に、「装着面」及び「非装着面」を定義する。
【００１４】
図３に示すように、本実施形態では、カバー２は、装着者Ｐの一方の腕側（図示の例では、右腕側）に配置される第１カバー部２１と、装着者Ｐの他方の腕側（図示の例では、左腕側）に配置される第２カバー部２２と、を有している。第１カバー部２１と第２カバー部２２とは、装着者Ｐの首側において互いに連続し、装着者Ｐの胸側において互いに離間している。つまり、カバー２は、浮袋体１と同様に、Ｃ字形状を成しており、第１カバー部２１と第２カバー部２２とで装着者Ｐを囲むように配置されている。
【００１５】
また、本実施形態では、カバー２は、収縮状態の浮袋体１を内部に収納可能な筒状に形成可能に構成されている。具体的には、図３に示すように、カバー２の非装着面の縁部には、互いに着脱可能な一対の面ファスナである内縁面ファスナ２ａ及び外縁面ファスナ２ｂが設けられている。内縁面ファスナ２ａは、浮袋体１が膨張状態のとき、外縁面ファスナ２ｂよりも内側に位置するように配置されている。内縁面ファスナ２ａと外縁面ファスナ２ｂとを互いに係着させることにより、カバー２を筒状に形成することができる。なお、一対の面ファスナ同士の接着力は、膨張する浮袋体１によって一対の面ファスナが互いに剥がれる程度の強さに設定される。
【００１６】
接続体３は、カバー２と腰部ベルト４とを接続する部材であり、装着者Ｐに装着される「装着体」として機能する。図示の例では、接続体３は、その縁部に配置された枠体３ａと、当該枠体の内側に配置されたメッシュ体３ｂと、を有している。接続体３は、第１カバー部２１に固着された第１接続部３１と、第２カバー部２２に固着された第２接続部３２と、を有している。なお、本願において「固着」とは、縫合や接着等を含む。第１接続部３１は、第１カバー部２１との固着部分から腰部ベルト４にかけて延在し、第２接続部３２は、第２カバー部２２との固着部分から腰部ベルト４にかけて延在している。
【００１７】
腰部ベルト４は、装着者Ｐの腰周りに装着されるベルトであり、装着者Ｐに装着される「装着体」として機能する。腰部ベルト４は、帯状のベルト本体４１と、ベルト本体４１の両端に設けられ、互いに着脱可能な雄バックル４２及び雌バックル４３と、を有している。雄バックル４２及び雌バックル４３の少なくとも一方には、ベルト本体４１の長さを調節するための長さ調節機構を備えている。装着者Ｐは、ベルト本体４１を自身の腰周りに巻き、雄バックル４２と雌バックル４３とを互いに係合させ、ベルト本体４１の長さ調節を行うことにより、腰周りに腰部ベルト４を適切に装着することができる。
【００１８】
本実施形態では、ベルト本体４１には、背側接続部材４４が設けられている。背側接続部材４４は、ベルト本体４１からカバー２に向けて延在し、カバー２に固着されている。図示の例では、背側接続部材４４は、帯状に形成されており、背側接続部材４４の長手方向の一端部にベルト本体４１が挿通されるループが形成され、背側接続部材４４の長手方向の他端部がカバー２の装着面の中央部分（第１カバー部２１と第２カバー部２２との境界部分）及び後述する中央装着体連結部５１の中央部分に縫合されている。そのため、背側接続部材４４の長手方向の一端部は、ベルト本体４１に沿ってスライドする。
【００１９】
ガイド体５は、装着者Ｐに装着される「装着体」に連結され、「装着体」とは別部材である。本実施形態では、ガイド体５は、帯状に形成され、「装着体」として機能するカバー２と接続体３と腰部ベルト４とに連結されている。そして、本実施形態では、ガイド体５は、装着者Ｐの体の表面に沿って配置されている。また、本実施形態では、ガイド体５は、中央装着体連結部５１と、第１装着体連結部５２と、第２装着体連結部５３と、第１ガイド部５４と、第２ガイド部５５と、を有している。
【００２０】
中央装着体連結部５１は、ガイド体５の中央部分に配置され、カバー２に固着されている。また、中央装着体連結部５１は、中央連結部材５６を介して浮袋体１に連結されている。つまり、中央連結部材５６は、浮袋体１とガイド体５とを連結する「連結部材」として機能する。本実施形態では、中央連結部材５６は、装着者Ｐの背側に配置されている。図示の例では、中央連結部材５６は、帯状に形成され、中央連結部材５６の長手方向の一端部が、浮袋体１の中央部分（第１浮袋部１１と第２浮袋部１２との境界部分）に縫合されている。そして、中央連結部材５６とカバー２との間に中央装着体連結部５１が挟まれた状態で、中央連結部材５６の長手方向の他端部とカバー２の中央部分（第１カバー部２１と第２カバー部２２との境界部分）と中央装着体連結部５１とが縫合されている。そのため、図示の例では、中央連結部材５６は、浮袋体１とガイド体５との位置関係の変化を規制する状態で両者を連結している。
【００２１】
また、中央装着体連結部５１は、第１カバー部２１と第２カバー部２２とに向けて延在し、第１装着体連結部５２と第２装着体連結部５３とに接続されている。図示の例では、中央装着体連結部５１は、第１装着体連結部５２と第２装着体連結部５３と一体的に形成されている。
【００２２】
第１装着体連結部５２は、装着者Ｐの一方の腕側（図示の例では、右腕側）に配置され、第１カバー部２１に固着されている。また、第１装着体連結部５２は、第１連結部材５７を介して第１浮袋部１１に連結されている。つまり、第１連結部材５７は、浮袋体１とガイド体５とを連結する「連結部材」として機能する。図示の例では、第１連結部材５７は、帯状に形成され、第１連結部材５７の長手方向の一端部が、膨張状態の浮袋体１の第１浮袋部１１における第２浮袋部１２と対向する部分に縫合されている。そして、第１連結部材５７とカバー２との間に第１装着体連結部５２が挟まれた状態で、第１連結部材５７の長手方向の他端部と第１カバー部２１と第１装着体連結部５２とが縫合されている。そのため、図示の例では、第１連結部材５７は、浮袋体１とガイド体５との位置関係の変化を規制する状態で両者を連結している。
【００２３】
また、第１装着体連結部５２は、中央装着体連結部５１との接続部分から、第１カバー部２１と第１接続部３１との固着部分にかけて延在し、当該固着部分にて第１ガイド部５４と接続されている。図示の例では、第１装着体連結部５２は、第１ガイド部５４と一体的に形成されている。
【００２４】
第２装着体連結部５３は、装着者Ｐの他方の腕側（図示の例では、左腕側）に配置され、第２カバー部２２に固着されている。また、第２装着体連結部５３は、第２連結部材５８を介して第２浮袋部１２に連結されている。つまり、第２連結部材５８は、浮袋体１とガイド体５とを連結する「連結部材」として機能する。図示の例では、第２連結部材５８は、帯状に形成され、第２連結部材５８の長手方向の一端部が、膨張状態の浮袋体１の第２浮袋部１２における第１浮袋部１１と対向する部分に縫合されている。そして、第２連結部材５８とカバー２との間に第２装着体連結部５３が挟まれた状態で、第２連結部材５８の長手方向の他端部と第２カバー部２２と第２装着体連結部５３とが縫合されている。そのため、図示の例では、第２連結部材５８は、浮袋体１とガイド体５との位置関係の変化を規制する状態で両者を連結している。
【００２５】
また、第２装着体連結部５３は、中央装着体連結部５１との接続部分から、第２カバー部２２と第２接続部３２との固着部分にかけて延在し、当該固着部分にて第２ガイド部５５と接続されている。図示の例では、第２装着体連結部５３は、第２ガイド部５５と一体的に形成されている。
【００２６】
第１ガイド部５４は、第１接続部３１の非装着面上に配置されている。図示の例では、第１ガイド部５４は、第１接続部３１のメッシュ体３ｂ上に配置され、第１装着体連結部５２との接続部分から、ベルト本体４１と交差する部分にかけて延在している。そして、第１ガイド部５４におけるベルト本体４１と交差する部分に、ベルト本体４１が挿通されるループが形成されている。そのため、第１ガイド部５４における第１装着体連結部５２との接続部分とは反対側の端部は、ベルト本体４１に沿ってスライドする。また、第１ガイド部５４におけるベルト本体４１と交差する部分は、ベルト本体４１を挟む２箇所で第１接続部３１に縫合されている。
【００２７】
第２ガイド部５５は、第２接続部３２の非装着面上に配置されている。図示の例では、第２ガイド部５５は、第２接続部３２のメッシュ体３ｂ上に配置され、第２装着体連結部５３との接続部分から、ベルト本体４１と交差する部分にかけて延在している。そして、第２ガイド部５５におけるベルト本体４１と交差する部分は、ベルト本体４１に固着されている。ここでは、第２ガイド部５５と第２接続部３２との間にベルト本体４１が挟まれた状態で、第２ガイド部５５と第２接続部３２とベルト本体４１とが縫合されている。
【００２８】
以上のような構成を備えることにより、本実施形態に係る救命具１００では、装着者Ｐの腰周りに装着される腰部ベルト４と、装着者Ｐの首の後側から腹側にかけて装着されて腰部ベルト４に連結されるガイド体５とが、水面上で浮袋体１が膨張状態となった場合に、装着者Ｐと浮袋体１とを連結して離れないようにするための機能を発揮する。よって、腰部ベルト４及びガイド体５は、必要な引張強度を確保できる素材により構成される。
【００２９】
スライド体６は、浮袋体１に連結され、ガイド体５に沿ってスライドするように構成されている。本実施形態では、スライド体６は、第１スライド部６１と、第２スライド部６２と、を有している。
【００３０】
第１スライド部６１は、第１ガイド部５４に沿ってスライドするように、第１ガイド部５４に取り付けられている。図示の例では、第１スライド部６１は、角環状（矩形環状）に形成され、その内側に第１ガイド部５４が挿通されている。第１スライド部６１は、第１スライド連結部６３を介して第１浮袋部１１に連結されている。図示の例では、第１スライド連結部６３は、帯状に形成され、角環状の第１スライド部６１の内側に挿通されている。そして、第１スライド連結部６３の長手方向の両端部が、膨張状態の浮袋体１の第１浮袋部１１の下端部に縫合されている。
【００３１】
第２スライド部６２は、第２ガイド部５５に沿ってスライドするように、第２ガイド部５５に取り付けられている。図示の例では、第２スライド部６２は、角環状（矩形環状）に形成され、その内側に第２ガイド部５５が挿通されている。第２スライド部６２は、第２スライド連結部６４を介して第２浮袋部１２に連結されている。図示の例では、第２スライド連結部６４は、帯状に形成され、角環状の第２スライド部６２の内側に挿通されている。そして、第２スライド連結部６４の長手方向の両端部が、膨張状態の浮袋体１の第２浮袋部１２の下端部に縫合されている。
【００３２】
図１に示すように、収縮状態において、浮袋体１は折り畳まれた状態でカバー２に収納される。一方、第１スライド部６１及び第２スライド部６２は、浮袋体１の膨張に伴ってガイド体５に沿ってスライドする際にカバー２に引っ掛かる可能性を低減するため、浮袋体１が収縮状態であってもカバー２の外側に配置されている。
【００３３】
図４に示すように、第１スライド部６１は、第１ガイド部５４に案内されて第１ガイド部５４と第１接続部３１との間をスライドする。また、第２スライド部６２は、第２ガイド部５５に案内されて第２ガイド部５５と第２接続部３２との間をスライドする。つまり、本実施形態では、接続体３は、「装着体」として機能するだけでなく、ガイド体５に沿って、ガイド体５と装着者Ｐとの間に配置された「スライド補助部材」としても機能する。
【００３４】
また、本実施形態では、第１ガイド部５４は、第１接続部３１における装着者Ｐに対向する側とは反対側に沿って配置され、第２ガイド部５５は、第２接続部３２における装着者Ｐに対向する側とは反対側に沿って配置されている。つまり、ガイド体５は、「装着体」としての接続体３における装着者Ｐに対向する側とは反対側に沿って配置されている。
【００３５】
図４に示すように、浮袋体１が収縮状態から膨張状態へ変化するのに伴い、浮袋体１に連結されたスライド体６は、連結部材５６，５７，５８から離れる方向に、ガイド体５に沿ってスライドする。本実施形態では、浮袋体１が収縮状態から膨張状態へ変化する場合に、第１スライド部６１が第１連結部材５７から離れる方向に（図示の例では、下方に）第１ガイド部５４に沿ってスライドし、第２スライド部６２が第２連結部材５８から離れる方向に（図示の例では、下方に）第２ガイド部５５に沿ってスライドする。そのため、本実施形態では、第１スライド部６１は、膨張状態の浮袋体１の第１浮袋部１１における、第１連結部材５７から離間した位置に連結され、第２スライド部６２は、膨張状態の浮袋体１の第２浮袋部１２における、第２連結部材５８から離間した位置に連結されている。つまり、スライド体６は、膨張状態の浮袋体１における、「連結部材」から離間した位置に連結されている。
【００３６】
２．第２の実施形態
以下では、第２の実施形態に係る救命具１００について、図面を参照して説明する。第２の実施形態に係る救命具１００は、装着者Ｐの腰回りにのみ装着するように構成されている点で第２の実施形態に係る救命具１００と異なる。以下では、上記第１の実施形態との相違点を中心として説明する。なお、特に説明しない点については、上記第１の実施形態と同様とする。
【００３７】
図５に示すように、第２の実施形態に係る救命具１００は、浮袋体１と、カバー２と、腰部ベルト４と、ガイド体５と、スライド体６と、を備えている。
【００３８】
図６に示すように、本実施形態では、膨張状態の浮袋体１は、装着者Ｐの腰の後側から腰の両側にかけて延在し、第１浮袋部１１と第２浮袋部１２とを有している。第１浮袋部１１と第２浮袋部１２とは、装着者Ｐの腰の後側において互いに連続し、装着者Ｐの腰の両側において互いに離間している。つまり、浮袋体１は、膨張状態において、Ｃ字形状を成しており、第１浮袋部１１と第２浮袋部１２とで装着者Ｐを囲むように配置されている。
【００３９】
図６に示すように、本実施形態では、カバー２は、装着者Ｐの腰の後側に配置され、装着者Ｐの腰の左右両側に達しない程度の大きさを有する。本実施形態に係るカバー２は、上記第１の実施形態のものと同様に、非装着面の縁部に互いに着脱可能な一対の面ファスナ２ｃが設けられ、収縮状態の浮袋体１を内部に収納可能な筒状に形成可能に構成されている。
【００４０】
腰部ベルト４は、本実施形態においても装着者Ｐに装着される「装着体」として機能する。図７に示すように、本実施形態では、腰部ベルト４のベルト本体４１にカバー２が取り付けられている。なお、本実施形態では、カバー２は、「装着体」として機能する必要はなく、ベルト本体４１に対して着脱可能に設けられた構成であっても良い。
【００４１】
本実施形態では、ガイド体５は、「装着体」として機能する腰部ベルト４に連結されている。そして、本実施形態では、ガイド体５は、装着者Ｐの体の表面に沿って配置されている。また、本実施形態では、ガイド体５は、第１ガイド部５４と、第２ガイド部５５と、を有している。
【００４２】
図６に示すように、本実施形態では、第１ガイド部５４は、ベルト本体４１に沿って延在し、ベルト本体４１における、装着者Ｐの一方の腕側（図示の例では、右腕側）部分の非装着面上に配置されている。そして、第１ガイド部５４の長手方向における両端部が、それぞれベルト本体４１に固着されている。また、第２ガイド部５５は、ベルト本体４１に沿って延在し、ベルト本体４１における、装着者Ｐの他方の腕側（図示の例では、左腕側）部分の非装着面上に配置されている。そして、第２ガイド部５５の長手方向における両端部が、それぞれベルト本体４１に固着されている。図示の例では、第１ガイド部５４と第２ガイド部５５とは、互いに離間して配置され、装着者Ｐの腰の後側から腰の左右のいずれか一方側にかけてそれぞれ延在している。
【００４３】
図７に示すように、本実施形態では、ベルト本体４１及び第１ガイド部５４は、第１連結部材５７を介して第１浮袋部１１に連結されている。本実施形態では、第１連結部材５７は、装着者Ｐの背側に配置されている。図示の例では、第１連結部材５７は、帯状に形成され、第１連結部材５７の長手方向の一端部が、膨張状態の浮袋体１の第１浮袋部１１における装着者Ｐの腰の後側部分に縫合されている。そして、装着者Ｐ側から、カバー２、ベルト本体４１、第１ガイド部５４、及び第１連結部材５７が順に積層された状態で、カバー２と、ベルト本体４１と、第１ガイド部５４における装着者Ｐの背側の部分と、第１連結部材５７の長手方向の他端部とが縫合されている。
【００４４】
また、ベルト本体４１及び第２ガイド部５５は、第２連結部材５８を介して第２浮袋部１２に連結されている。本実施形態では、第２連結部材５８は、装着者Ｐの背側に配置されている。図示の例では、第２連結部材５８は、帯状に形成され、第２連結部材５８の長手方向の一端部が、膨張状態の浮袋体１の第２浮袋部１２における装着者Ｐの腰の後側部分に縫合されている。そして、装着者Ｐ側から、カバー２、ベルト本体４１、第２ガイド部５５、及び第２連結部材５８が順に積層された状態で、カバー２と、ベルト本体４１と、第２ガイド部５５における装着者Ｐの背側の部分と、第２連結部材５８の長手方向の他端部とが縫合されている。
【００４５】
本実施形態では、スライド体６の第１スライド部６１は、第１スライド連結部６３を介して第１浮袋部１１に連結されている。図示の例では、第１スライド連結部６３は、膨張状態の浮袋体１の第１浮袋部１１における装着者Ｐの腰の右側に対向する部分に配置されている。また、スライド体６の第２スライド部６２は、第２スライド連結部６４を介して第２浮袋部１２に連結されている。図示の例では、第２スライド連結部６４は、膨張状態の浮袋体１の第２浮袋部１２における装着者Ｐの腰の左側に対向する部分に配置されている。
【００４６】
図５に示すように、本実施形態においても、収縮状態の浮袋体１は折り畳まれた状態でカバー２に収納される。一方、第１スライド部６１及び第２スライド部６２は、浮袋体１の膨張に伴ってガイド体５に沿ってスライドする際にカバー２に引っ掛かる可能性を低減するため、浮袋体１が収縮状態であってもカバー２の外側に配置されている。
【００４７】
図７に示すように、第１スライド部６１は、第１ガイド部５４に案内されて第１ガイド部５４とベルト本体４１との間をスライドする。また、第２スライド部６２は、第２ガイド部５５に案内されて第２ガイド部５５とベルト本体４１との間をスライドする。つまり、本実施形態では、腰部ベルト４は、「装着体」として機能するだけでなく、ガイド体５に沿って、ガイド体５と装着者Ｐとの間に配置された「スライド補助部材」としても機能する。
【００４８】
また、本実施形態では、第１ガイド部５４及び第２ガイド部５５は、ベルト本体４１における装着者Ｐに対向する側とは反対側に沿って配置されている。つまり、ガイド体５は、「装着体」としての腰部ベルト４における装着者Ｐに対向する側とは反対側に沿って配置されている。
【００４９】
図７に示すように、浮袋体１が収縮状態から膨張状態へ変化するのに伴い、浮袋体１に連結されたスライド体６は、連結部材５７，５８から離れる方向に、ガイド体５に沿ってスライドする。本実施形態においても、浮袋体１が収縮状態から膨張状態へ変化する場合に、第１スライド部６１が第１連結部材５７から離れる方向に（装着者Ｐの腰の後側から右側に）第１ガイド部５４に沿ってスライドし、第２スライド部６２が第２連結部材５８から離れる方向に（装着者Ｐの腰の後側から左側に）第２ガイド部５５に沿ってスライドする。そのため、本実施形態においても、第１スライド部６１は、膨張状態の浮袋体１の第１浮袋部１１における、第１連結部材５７から離間した位置に連結され、第２スライド部６２は、膨張状態の浮袋体１の第２浮袋部１２における、第２連結部材５８から離間した位置に連結されている。つまり、スライド体６は、膨張状態の浮袋体１における、「連結部材」から離間した位置に連結されている。
【００５０】
３．その他の実施形態
（１）上記の実施形態では、スライド体６が、装着者Ｐの左右両腕側にそれぞれ配置された２つのスライド部６１，６２を有する構成を例として説明した。しかし、そのような構成に限定されることなく、スライド体６が１つのスライド部のみを有する構成であっても良いし、３つ以上のスライド部を有する構成であっても良い。また、上記の実施形態では、カバー２、接続体３、ガイド体５、及びスライド体６が、装着者Ｐの左右両腕側にそれぞれ配置された２つの部分を有しているが、これに関しても各部分の数は限定しない。
【００５１】
（２）上記の実施形態では、カバー２、接続体３、及び腰部ベルト４が、「装着体」として機能する構成を例として説明した。しかし、そのような構成に限定されることなく、「装着体」は装着者Ｐの体に接するように装着されるものであれば良い。
【００５２】
（３）上記の実施形態では、「連結部材」（中央連結部材５６、第１連結部材５７、第２連結部材５８）が、浮袋体１とガイド体５との位置関係の変化を規制する状態で両者を連結している構成を例として説明した。しかし、そのような構成に限定されることなく、「連結部材」が、ガイド体５に対して浮袋体１が移動可能な状態で両者を連結する構成としても良い。この場合、任意の位置に浮袋体１を移動させることができる。
【００５３】
（４）上記の実施形態では、ガイド体５が帯状に形成された構成を例として説明した。しかし、スライド体６がガイド体５に沿ってスライドできれば、そのような構成に限定されない。例えば、ガイド体５がワイヤやロープ等の索条体として構成されていても良いし、ガイド体５が溝を有するレール状部材であり、スライド体６が前記溝に沿ってスライドする部材であっても良い。
【００５４】
（５）上記の実施形態では、スライド体６が下方にスライドする構成、及びスライド体６が装着者Ｐの腰の後側から左右両側にスライドする構成を例として説明した。しかし、スライド体６のスライド方向はそのような構成に限定されない。例えば、浮袋体１が収縮状態から膨張状態へ変化するのに伴い、スライド体６が上方にスライドする構成としても良い。例えば、上記第１の実施形態とは逆に、収縮状態で装着者Ｐの胸部付近に折り畳まれて配置された浮袋体１が、装着者Ｐの首側に向かって膨張する構成としても良い。このような場合には、水中において収縮状態から膨張状態へと変化する過程の浮袋体１の浮力を利用して、スライド体６のスライド動作を促進させるようにすることができる。
【００５５】
（６）上記の実施形態では、「連結部材」としての中央連結部材５６が装着者Ｐの背側に配置された構成、及び「連結部材」としての第１連結部材５７及び第２連結部材５８が装着者Ｐの背側に配置された構成を例として説明した。しかし、そのような構成に限定されることなく、「連結部材」が装着者Ｐの背側に配置されておらず、例えば、装着者Ｐの腹部、胸部、わき腹部等に配置された構成としても良い。
【００５６】
（７）上記の実施形態では、接続体３が「スライド補助部材」として機能する構成、及び腰部ベルト４が「スライド補助部材」として機能する構成を例として説明した。しかし、そのような構成に限定されることなく、例えば、「スライド補助部材」として別の部材を設けた構成としても良い。また、「スライド補助部材」を設けない構成としても良い。
【００５７】
（８）上記の実施形態では、浮袋体１が収縮状態において、スライド体６がカバー２の外側に配置された構成を例として説明した。しかし、そのような構成に限定されることなく、浮袋体１が収縮状態において、スライド体６がカバー２に覆われた構成としても良い。
【００５８】
（９）上記の実施形態では、装着者Ｐの首に掛けると共に、装着者Ｐの腰回りに装着する救命具１００（第１の実施形態）、及び装着者Ｐの腰回りに装着する救命具１００（第２の実施形態）を例として説明した。しかし、そのような構成の救命具１００に限定されることなく、装着者Ｐに対する装着箇所は、装着者Ｐの体のいずれの部位であっても良い。例えば、装着者Ｐの胸回りや背中回りに装着する救命具１００としても良い。
【００５９】
（１０）上記の実施形態では、気体充填装置７によって浮袋体１の内部に気体を供給して浮袋体１を膨張させることで、スライド体６がガイド体５に沿ってスライドする構成を例として説明した。しかし、そのような構成に限定されることなく、例えば、装着者Ｐがカバー２から取り出した後、充填量調節管８から息を吹き込むことにより、浮袋体１を膨張させる構成としても良い。
【００６０】
（１１）上記の実施形態では、気体充填装置７によって浮袋体１の内部に気体を供給して浮袋体１を膨張させる構成を例として説明した。しかし、そのような構成に限定されることなく、例えば、浮袋体１にゴムやバネ等の弾性部材を設け、当該弾性部材の復元力を利用して浮袋体１の膨張を促進させる構成としても良い。
【００６１】
（１２）上記の実施形態では、浮袋体１に連結された角環状の第１スライド部６１と第２スライド部６２とに、それぞれ、帯状の第１ガイド部５４と第２ガイド部５５とが挿通され、第１スライド部６１と第２スライド部６２とが、それぞれ、第１ガイド部５４と第２ガイド部５５とに沿ってスライドする構成を例として説明した。しかし、そのような構成に限定されることなく、例えば、一対の噛み合い歯と、スライダと、を有する線ファスナが、浮袋体１及びガイド体５に設けられた構成としても良い。具体的には、一方の噛み合い歯が浮袋体１に設けられ、他方の噛み合い歯がガイド体５に設けられている。そして、装着者Ｐが、浮袋体１をカバー２から取り出しながら、線ファスナが閉じるようにスライダを操作することにより、浮袋体１がガイド体５に沿って固定される。
【００６２】
（１３）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。したがって、本開示の趣旨を逸脱しない範囲内で、適宜、種々の改変を行うことが可能である。
【００６３】
４．上記実施形態の概要
以下、上記において説明した救命具の概要について説明する。
【００６４】
救命具は、
内部に気体が供給されることによって、収縮状態から膨張状態に変化する浮袋体と、
前記収縮状態の前記浮袋体を覆うカバーと、
装着者に装着される装着体と、
前記装着体に連結されたガイド体と、
前記浮袋体に連結されていると共に、前記ガイド体に沿ってスライドするスライド体と、を備えている。
【００６５】
この構成によれば、浮袋体を収縮状態と膨張状態との間で変化させる際に、スライド体をガイド体に沿ってスライドさせることにより、浮袋体におけるスライド体に連結された部分をガイド体に沿って移動させることができる。そのため、収縮状態においては、浮袋体を小さく折り畳むのに適した位置にスライド体をスライドさせることにより、浮袋体を小さく折り畳んでカバーに収納することができる。また、浮袋体が膨張状態に変化する際に、膨張状態での浮袋体の形状に応じた位置にスライド体がスライドすることにより、浮袋体におけるスライド体に連結された部分が、装着体に連結されたガイド体に沿って移動する。これにより、膨張状態の浮袋体が装着者に適切に装着された状態となる。したがって、収縮状態の浮袋体及び当該浮袋体を覆うカバーのサイズを小さく抑えることができ、延いては装着者の動作の妨げになり難い、小型の救命具を実現できる。
【００６６】
また、前記浮袋体と前記ガイド体とを連結する連結部材を更に備え、
前記スライド体は、前記膨張状態の前記浮袋体における、前記連結部材から離間した位置に連結されていると好適である。
【００６７】
この構成によれば、膨張状態の浮袋体において、連結部材に連結された部分とスライド体に連結された部分とが、互いに離間した位置に配置される。そのため、膨張状態の浮袋体を比較的広い範囲に配置することができる。よって、膨張状態の浮袋体が、装着者に適切に装着された状態とすることが容易となっている。また、浮袋体全体のガイド体に対する移動が連結部材によって規制される。したがって、水面において装着者の姿勢を容易に安定させることができる。
【００６８】
ここで、前記連結部材を備えた構成において、
前記連結部材は、前記装着者の背側に配置されていると好適である。
【００６９】
この構成によれば、浮袋体における連結部材に連結された部分が装着者の背側（後側）に配置される。浮袋体における連結部材に連結された部分は、浮袋体が収縮状態で折り畳まれた状態ではカバーに覆われる部分となる。当該部分が装着者の背側（後側）に配置されることによって、収縮状態の浮袋体及び当該浮袋体を覆うカバーにおける、装着者の腹側（前側）に配置される部分を少なく抑えることができる。したがって、収縮状態において更に装着者の動作の妨げになり難い救命具を実現できる。
【００７０】
また、前記スライド体は、前記浮袋体が前記収縮状態から前記膨張状態に変化する場合に、前記連結部材から離れる方向に、前記ガイド体に沿ってスライドすると好適である。
【００７１】
この構成によれば、収縮状態で折り畳まれた浮袋体が、膨張状態に変化する場合に、連結部材に近い側から装着者の腹側（前側）に広がりながら膨張することになる。したがって、収縮状態において装着者の動作の妨げになり難く、膨張状態において装着者に適切に装着された状態とすることが容易である救命具を実現できる。
【００７２】
ここで、前記ガイド体に沿って、前記ガイド体と前記装着者との間に配置されたスライド補助部材を更に備え、
前記スライド体は、前記ガイド体に案内されて前記ガイド体と前記スライド補助部材との間をスライドすると好適である。
【００７３】
この構成によれば、ガイド体と装着者との間にスライド補助部材が配置される。そのため、スライド体がガイド体に沿ってスライドする際、スライド体が装着者の着衣に引っ掛かること等によってスライド動作が妨げられる可能性を低減できる。したがって、スライド体に連結された浮袋体の膨張動作の確実性を高めることができる。
【００７４】
また、前記ガイド体が、前記装着体における前記装着者に対向する側とは反対側に沿って配置されていると好適である。
【００７５】
この構成によれば、ガイド体と装着者との間に装着体が配置されることになるため、装着体を、スライド体のスライドを補助するスライド補助部材として機能させることができる。そのため、スライド体がガイド体に沿ってスライドする際、スライド体が装着者の着衣に引っ掛かること等によってスライド動作が妨げられる可能性を低減できる。したがって、スライド体に連結された浮袋体の膨張動作の確実性を高めることができる。
【００７６】
また、前記浮袋体は、前記膨張状態において、前記装着者の一方の腕側に配置される第１浮袋部と、前記装着者の他方の腕側に配置される第２浮袋部と、を有し、
前記スライド体は、前記第１浮袋部に連結された第１スライド部と、前記第２浮袋部に連結された第２スライド部と、を有すると好適である。
【００７７】
この構成によれば、膨張状態の浮袋体が、装着者の一方の腕側と他方の腕側とで装着者を囲むように配置される。したがって、水面において装着者の姿勢を容易に安定させることができる。
【００７８】
また、前記収縮状態において、前記浮袋体は折り畳まれた状態で前記カバーに収納されると共に、前記スライド体が前記カバーの外側に配置されていると好適である。
【００７９】
この構成によれば、浮袋体が収縮状態から膨張状態に変化する際、カバーがスライド体のスライド動作の妨げになり難い。したがって、スライド体に連結された浮袋体の膨張動作の確実性を高めることができる。
【００８０】
また、前記ガイド体は、前記装着者の体の表面に沿って配置されていると好適である。
【００８１】
この構成によれば、浮袋体が収縮状態から膨張状態に変化する際、装着者の体の表面に沿ってスライド体がスライドする。そのため、膨張状態の浮袋体が、装着者の体の表面に沿って配置される。したがって、水面において装着者の姿勢を容易に安定させることができる。
【産業上の利用可能性】
【００８２】
本開示に係る技術は、内部に気体が供給されることによって、収縮状態から膨張状態に変化する浮袋体と、前記収縮状態の前記浮袋体を覆うカバーと、装着者に装着される装着体と、を備えた救命具に利用することができる。
【符号の説明】
【００８３】
１００    ：救命具
１        ：浮袋体
１１      ：第１浮袋部
１２      ：第２浮袋部
２        ：カバー（装着体）
３        ：接続体（装着体、スライド補助部材）
４        ：腰部ベルト（装着体）
５        ：ガイド体
５６      ：中央連結部材（連結部材）
５７      ：第１連結部材（連結部材）
５８      ：第２連結部材（連結部材）
６        ：スライド体
Ｐ        ：装着者
【図１】
2019123279.tif 000003
【図２】
2019123279.tif 000004
【図３】
2019123279.tif 000005
【図４】
2019123279.tif 000006
【図５】
2019123279.tif 000007
【図６】
2019123279.tif 000008
【図７】
2019123279.tif 000009